(57)【要約】【課題】駐車場予約システム、駐車場予約方法、コンピュータプログラム及びコンピュータプログラムを記録した記録媒体を提供する。【解決手段】駐車場提供者が駐車場の貸出しを申し出るオファーと該駐車場への駐車場利用車両の駐車を依頼するリクエストとを含む駐車場予約方法であって、該駐車場利用車両のプローブ情報を保存するプローブ情報保存部を備え、該駐車場利用車両の該プローブ情報に基づいて、該駐車場利用車両の評価を決定し、該決定された評価に基づいて、該オファー及び該リクエストの調整を行う。【選択図】図１
2018092209.tif 000002
【特許請求の範囲】
【請求項１】
駐車場提供者が駐車場の貸出しを申し出るオファーと該駐車場への駐車場利用車両の駐車を依頼するリクエストとを含む駐車場予約システムであって、
前記駐車場利用車両のプローブ情報を保存するプローブ情報保存部と、
前記駐車場利用車両の前記プローブ情報に基づいて、前記駐車場利用車両の評価を決定する決定部と、
前記決定された評価に基づいて、前記オファー及び前記リクエストの調整を行う調整部と、
を含む、駐車場予約システム。
【請求項２】
前記プローブ情報保存部から前記駐車場利用車両の駐車に関するプローブ情報を駐車プローブ情報として抽出する抽出部、を備え、
前記決定部は、前記抽出された駐車プローブ情報に基づいて、前記評価を決定する、
請求項１に記載の駐車場予約システム。
【請求項３】
前記決定部は、前記抽出された駐車プローブ情報のうち、第１の条件及び第２の条件を満たす駐車プローブ情報が存在するとき、前記評価を決定し、
前記第１の条件は、一定領域に一定期間連続して駐車したことであり、
前記第２の条件は、前記第１の条件を満たす駐車プローブ情報が一定頻度で発生したことである、
請求項２に記載の駐車場予約システム。
【請求項４】
前記一定頻度は、週単位における頻度であり、
前記決定部は、前記第１の条件及び前記第２の条件を満たす駐車プローブ情報が２パターン存在するとき、前記評価を決定する、
請求項３に記載の駐車場予約システム。
【請求項５】
前記プローブ情報保存部から前記プローブ情報として前記駐車場利用車両の目的地に関する情報を抽出する抽出部、を備え、
前記決定部は、前記抽出された目的地が予め定められた目的地属性に属するとき、前記評価を決定する、
請求項１に記載の駐車場予約システム。
【請求項６】
前記決定部で決定された評価を、前記駐車場予約システムを新規に利用する駐車場利用車両の初期評価とする、
請求項１〜５に記載の駐車場予約システム。
【請求項７】
駐車場提供者が駐車場の貸出しを申し出るオファーと該駐車場への駐車場利用車両の駐車を依頼するリクエストとを含む駐車場予約方法であって、
前記駐車場利用車両のプローブ情報をプローブ情報保存部に保存する保存ステップと、
決定部が、前記駐車場利用車両の前記プローブ情報に基づいて、前記駐車場利用車両の評価を決定する決定ステップと、
調整部が、前記決定された評価に基づいて、前記オファー及び前記リクエストの調整を行う調整ステップと、
を含む、駐車場予約方法。
【請求項８】
抽出部が、前記プローブ情報保存部から前記駐車場利用車両の駐車に関するプローブ情報を駐車プローブ情報として抽出する抽出ステップ、を備え、
前記決定ステップでは、前記抽出された駐車プローブ情報に基づいて、前記評価を決定する、
請求項７に記載の駐車場予約方法。
【請求項９】
前記決定ステップでは、前記抽出された駐車プローブ情報のうち、第１の条件及び第２の条件を満たす駐車プローブ情報が存在するとき、前記評価を決定し、
前記第１の条件は、一定領域に一定期間連続して駐車したことであり、
前記第２の条件は、前記第１の条件を満たす駐車プローブ情報が一定頻度で発生したことである、
請求項８に記載の駐車場予約方法。
【請求項１０】
前記一定頻度は、週単位における頻度であり、
前記決定ステップでは、前記第１の条件及び前記第２の条件を満たす駐車プローブ情報が２パターン存在するとき、前記評価を決定する、
請求項９に記載の駐車場予約方法。
【請求項１１】
前記プローブ情報保存部から前記プローブ情報として前記駐車場利用車両の目的地に関する情報を抽出する抽出ステップ、を備え、
前記決定ステップでは、前記抽出された目的地が予め定められた目的地属性に属するとき、前記評価を決定する、
請求項７に記載の駐車場予約方法。
【請求項１２】
前記決定ステップで決定された評価を、前記駐車場予約システムを新規に利用する駐車場利用車両の初期評価とする、
請求項７〜１１に記載の駐車場予約方法。
【請求項１３】
駐車場提供者が駐車場の貸出しを申し出るオファーと該駐車場への駐車場利用車両の駐車を依頼するリクエストとを含む駐車場予約のためのコンピュータプログラムであって、コンピュータを、
前記駐車場利用車両のプローブ情報を保存するプローブ情報保存手段と、
前記駐車場利用車両の前記プローブ情報に基づいて、前記駐車場利用車両の評価を決定する決定手段と、
前記決定された評価に基づいて、前記オファー及び前記リクエストの調整を行う調整手段、
として機能させるコンピュータプログラム。
【請求項１４】
前記コンピュータを、更に、
前記プローブ情報保存手段から前記駐車場利用車両の駐車に関するプローブ情報を駐車プローブ情報として抽出する抽出手段、として機能させ、
前記決定手段は、前記抽出された駐車プローブ情報に基づいて、前記評価を決定する、
請求項１３に記載のコンピュータプログラム。
【請求項１５】
前記決定手段は、前記抽出された駐車プローブ情報のうち、第１の条件及び第２の条件を満たす駐車プローブ情報が存在するとき、前記評価を決定し、
前記第１の条件は、一定領域に一定期間連続して駐車したことであり、
前記第２の条件は、前記第１の条件を満たす駐車プローブ情報が一定頻度で発生したことである、
請求項１４に記載のコンピュータプログラム。
【請求項１６】
前記一定頻度は、週単位における頻度であり、
前記決定手段は、前記第１の条件及び前記第２の条件を満たす駐車プローブ情報が２パターン存在するとき、前記評価を決定する、
請求項１５に記載のコンピュータプログラム。
【請求項１７】
前記コンピュータを、更に、
前記プローブ情報保存手段から前記プローブ情報として前記駐車場利用車両の目的地に関する情報を抽出する抽出手段、として機能させ、
前記決定手段は、前記抽出された目的地が予め定められた目的地属性に属するとき、前記評価を決定する、
請求項１３に記載のコンピュータプログラム。
【請求項１８】
前記決定手段で決定された評価を、前記駐車場予約システムを新規に利用する駐車場利用車両の初期評価とする、
請求項１３〜１７に記載のコンピュータプログラム。
【請求項１９】
請求項１３〜１８のいずれかに記載のコンピュータプログラムが記録されたコンピュータで読み取り可能な記録媒体。
【発明の詳細な説明】
【技術分野】
【０００１】
本発明は、駐車場予約システム、駐車場予約方法、コンピュータプログラム及びコンピュータプログラムを記録した記録媒体に関する。
【背景技術】
【０００２】
個人等が所有する駐車場を有効活用すべく、外出等で該個人が所有する駐車場が空いている際に該駐車場を貸し出すシステムが知られている。このようなシステムの一例として、特許文献１には、駐車場を所定時間の間貸し出す駐車場貸出システムであって、駐車場の解放を受け付け、該受け付けた駐車場を解放駐車場として解放時間と共に登録するとともに、該駐車場貸出システムのユーザから受け付けた解放駐車場の予約に基づいて、該受け付けた予約の利用希望に添う解放駐車場を該登録されている解放駐車場の中から検索し、該検索された解放駐車場の中からユーザが選択した解放駐車場を予約して貸し出す駐車場貸出システム、が開示されている。このような駐車場の検索は、一般に、駐車場位置、駐車可能時間、駐車料金等に基づいて行われている。
また、上記駐車場の予約において、駐車予約の対象車両のプローブ情報としての位置情報を利用したシステムとして、駐車予約を送信する車両と該駐車予約の対象となる駐車場との間の位置関係を取得し、該駐車場における駐車スペースの空き情報を取得し、該位置関係及び該空き情報に基づいて駐車予約の受諾の可否を判定する駐車場予約管理システムが提案されている（特許文献２）。
本発明に関連する従来技術を開示する特許文献３〜５も参照されたい。
【先行技術文献】
【特許文献】
【０００３】
【特許文献１】特開２００２−３６６６８２号公報
【特許文献２】特開２００９−１８７３４６号公報
【特許文献３】特開２００４−７８５２７号公報
【特許文献４】特開２００６−１７２０６１号公報
【特許文献５】特開２００５−３１７６６号公報
【発明の概要】
【発明が解決しようとする課題】
【０００４】
上記従来技術によれば、駐車場位置、駐車可能時間、駐車料金等が合致すれば、駐車場利用車両ユーザは該駐車場を予約可能であるため、駐車場提供者の希望に反する駐車場利用車両に駐車場を提供する可能性がある。仮に、既に該駐車場予約システムを利用した駐車場利用車両に関する評価情報等が存在する場合には、該評価情報を利用して駐車場提供者の希望に適う駐車場利用車両にのみ検索ヒットするよう設定することで駐車場の提供を制限することが可能である。しかしながら、評価情報等の蓄積がない該駐車場予約システムの新規駐車場利用車両に対して、このような駐車場提供者の希望を反映させることは困難である。
本発明者は、上記状況に鑑みて駐車場提供者が安心して該駐車場予約システムを利用できるよう鋭意検討を重ねてきた結果、駐車場利用車両のプローブ情報に基づき該駐車場利用車両の評価を決定し、該駐車場予約システムにおいて駐車場提供者の駐車場の貸出しの申し出（オファー）と該駐車場への駐車場利用車両の駐車の依頼（リクエスト）との調整を行う際に、該決定された評価を利用することに想到した。駐車場利用車両のプローブ情報によれば該車両の行動履歴等を推定可能であり、このような情報に基づけば実際に即した蓋然性の高い評価を行うことが可能である。即ち、プローブ情報に基づいて決定される駐車場利用車両の評価を利用することは、駐車場提供者にとって便宜である。
【課題を解決するための手段】
【０００５】
この発明は上述の課題に鑑みてなされたものであり、その第１の局面は次のように規定される。即ち、
駐車場提供者が駐車場の貸出しを申し出るオファーと該駐車場への駐車場利用車両の駐車を依頼するリクエストとを含む駐車場予約システムであって、
前記駐車場利用車両のプローブ情報を保存するプローブ情報保存部と、
前記駐車場利用車両の前記プローブ情報に基づいて、前記駐車場利用車両の評価を決定する決定部と、
前記決定された評価に基づいて、前記オファー及び前記リクエストの調整を行う調整部と、
を含む、駐車場予約システム。
【０００６】
このように規定される第１の局面の駐車場予約システムによれば、駐車場提供者が駐車場の貸出しを申し出るオファーと該駐車場への駐車場利用車両の駐車を依頼するリクエストとを含む駐車場予約システムにおいて、該駐車場利用車両のプローブ情報を保存し、該駐車場利用車両のプローブ情報に基づいて、該駐車場利用車両の評価を決定し、該決定された評価に基づいて、上記オファー及び上記リクエストの調整を行う。このような駐車場予約システムによれば、オファーとリクエストとの調整を行う際に、駐車場位置、駐車可能時間、駐車料金のマッチングだけでなく、駐車場提供者の希望に適う駐車場利用車両へ駐車場を提供できるよう調整することが可能となる。
【０００７】
この発明の第２の局面は次のように規定される。即ち、
第１の局面に規定の駐車場予約システムにおいて、前記プローブ情報保存部から前記駐車場利用車両の駐車に関するプローブ情報を駐車プローブ情報として抽出する抽出部、を備え、
前記決定部は、前記抽出された駐車プローブ情報に基づいて、前記評価を決定する。
このように規定される第２の局面の駐車場予約システムによれば、駐車場利用車両のプローブ情報のうち駐車に関するプローブ情報を駐車プローブ情報として抽出し、該駐車プローブ情報に基づいて駐車場利用車両の評価を行う。このような駐車プローブ情報を用いることにより、駐車場利用車両の駐車に関する行動履歴をより実際に即して評価することが可能となる。このような評価は、該駐車場提供者の希望に適う駐車場利用車両であるか否かの大きな指標となりうる。
【０００８】
この発明の第３の局面は次のように規定される。即ち、
第２の局面に規定の駐車場予約システムにおいて、前記決定部は、前記抽出された駐車プローブ情報のうち、第１の条件及び第２の条件を満たす駐車プローブ情報が存在するとき、前記評価を決定し、
前記第１の条件は、一定領域に一定期間連続して駐車したことであり、
前記第２の条件は、前記第１の条件を満たす駐車プローブ情報が一定頻度で発生したことである。
駐車場提供者にとって、駐車場利用車両の駐車に関する行動履歴が定常性を有していることは、駐車場を提供するに際して安心の指標となりうる。この駐車場予約システムでは、定常性を有する駐車プローブ情報の条件として、駐車場利用車両が一定領域に一定期間連続して駐車し（第１の条件）、該駐車が一定頻度で発生している（第２の条件）ことを条件とした。例えば、ある領域での一定時間の駐車が繰り返し発生している行動履歴を有する駐車場利用車両であれば、該駐車場利用車両を駐車場提供者の駐車場に放置される等の懸念が低いと推定されるからである。上記条件に該当する駐車場利用車両として、通勤車両、営業車両、宅配／配達車両、定期的に買い物等に利用される車両等が挙げられる。
【０００９】
この発明の第４の局面は次のように規定される。即ち、
第３の局面に規定の駐車場予約システムにおいて、前記一定頻度は、週単位における頻度であり、
前記決定部は、前記第１の条件及び前記第２の条件を満たす駐車プローブ情報が少なくとも２パターン存在するとき、前記評価を決定する。
さらなる定常性を有する駐車プローブ情報の条件として、駐車場利用車両が一定領域に一定期間連続して駐車し（第１の条件）、該駐車が週単位で一定頻度発生している（第２の条件）ことを条件とし、上記評価部は、第１の条件及び第２の条件を満たす駐車プローブ情報が少なくとも２パターン存在するとき駐車場利用車両の評価を決定する。このような条件を満たす駐車場利用車両は、例えば、通勤車両や営業車両に代表されるように、日常的に一定の行動履歴を有しており、駐車場提供者にとって駐車場を提供するに際し安心感は高い。したがって、このような条件を満たす駐車場利用車両に高評価を付与することができる。
【００１０】
この発明の第５の局面は次のように規定される。即ち、
第１の局面に規定の駐車場予約システムにおいて、前記プローブ情報保存部から前記プローブ情報として前記駐車場利用車両の目的地に関する情報を抽出する抽出部、を備え、
前記決定部は、前記抽出された目的地が予め定められた目的地属性に属するとき、前記評価を決定する。
このように規定される第５の局面の駐車場予約システムによれば、駐車場利用車両のプローブ情報として該駐車場利用車両の目的地に関する情報を抽出し、該抽出された目的地が予め定められた目的地属性に属するか否かに基づいて、該駐車場利用車両の評価を行う。駐車場利用車両の目的地は、該駐車場利用車両ユーザの趣味、嗜好を表現しうる一方、駐車場提供者は、自己の趣味、嗜好に合わないユーザの駐車場利用車両の駐車を敬遠したい場合がある。したがって、上記評価を用いて駐車場予約の調整を行えば、駐車場提供者は、自己の希望に沿わない駐車場利用車両の駐車予約を制限することが可能となる。上記評価は、例えば、予め目的地となる施設等に目的地を表す種別としての目的地属性「ファミリー」、「娯楽」、「ギャンブル」、「いかがわしい」、「危険」等を付与しておき、このような目的地属性のうち駐車場提供者が許容可能な目的地属性を選択しておき、上記抽出された目的地が該選択された目的地属性に属するか否かによって行うことが可能である。あるいは、上記目的地属性に対して更に該目的地属性の優良度合い「優」、「良」、「可」等を付与しておき、上記抽出された目的地が該優良度合いのうち一定の優良度合いが付与された目的地属性又は該優良度合いのうち駐車場提供者が選択した優良度合いが付与された目的地属性に属するか否かによって行うこととしてもよい。
【００１１】
この発明の第６の局面は次のように規定される。即ち、
第１〜第５のいずれかの局面に規定の駐車場予約システムにおいて、前記決定部で決定された評価を、前記駐車場予約システムを新規に利用する駐車場利用車両の初期評価とする。
上記のようにして決定された評価を駐車場利用車両の初期評価として用いれば、駐車場提供者は、駐車場利用車両がこの駐車場予約システムを新規に利用する場合であっても自己の希望に適う駐車場利用車両へ駐車場を提供することが可能となる。
【００１２】
また、この発明の第７の局面は次のように規定される。即ち、
駐車場提供者が駐車場の貸出しを申し出るオファーと該駐車場への駐車場利用車両の駐車を依頼するリクエストとを含む駐車場予約方法であって、
前記駐車場利用車両のプローブ情報をプローブ情報保存部に保存する保存ステップと、
決定部が、前記駐車場利用車両の前記プローブ情報に基づいて、前記駐車場利用車両の評価を決定する決定ステップと、
調整部が、前記決定された評価に基づいて、前記オファー及び前記リクエストの調整を行う調整ステップと、
を含む、駐車場予約方法。
このように規定される第７の局面に規定の発明によれば、第１の局面と同等の効果を奏する。
【００１３】
この発明の第８の局面は次のように規定される。即ち、
第７の局面に規定の方法において、抽出部が、前記プローブ情報保存部から前記駐車場利用車両の駐車に関するプローブ情報を駐車プローブ情報として抽出する抽出ステップ、を備え、
前記決定ステップでは、前記抽出された駐車プローブ情報に基づいて、前記評価を決定する。
このように規定される第８の局面に規定の発明によれば、第２の局面と同等の効果を奏する。
【００１４】
この発明の第９の局面は次のように規定される。即ち、
第８の局面に規定の方法において、前記決定ステップでは、前記抽出された駐車プローブ情報のうち、第１の条件及び第２の条件を満たす駐車プローブ情報が存在するとき、前記評価を決定し、
前記第１の条件は、一定領域に一定期間連続して駐車したことであり、
前記第２の条件は、前記第１の条件を満たす駐車プローブ情報が一定頻度で発生したことである。
このように規定される第９の局面に規定の発明によれば、第３の局面と同等の効果を奏する。
【００１５】
この発明の第１０の局面は次のように規定される。即ち、
第９の局面に規定の方法において、前記一定頻度は、週単位における頻度であり、
前記決定ステップでは、前記第１の条件及び前記第２の条件を満たす駐車プローブ情報が２パターン存在するとき、前記評価を決定する。
このように規定される第１０の局面に規定の発明によれば、第４の局面と同等の効果を奏する。
【００１６】
この発明の第１１の局面は次のように規定される。即ち、
第７の局面に規定の方法において、前記プローブ情報保存部から前記プローブ情報として前記駐車場利用車両の目的地に関する情報を抽出する抽出ステップ、を備え、
前記決定ステップでは、前記抽出された目的地が予め定められた目的地属性に属するとき、前記評価を決定する。
このように規定される第１１の局面に規定の発明によれば、第５の局面と同等の効果を奏する。
【００１７】
この発明の第１２の局面は次のように規定される。即ち、
第７〜第１１のいずれかの局面に規定の方法において、前記決定ステップで決定された評価を、前記駐車場予約システムを新規に利用する駐車場利用車両の初期評価とする。
このように規定される第１２の局面に規定の発明によれば、第６の局面と同等の効果を奏する。
【００１８】
更に、この発明の第１３の局面は次のように規定される。即ち、
駐車場提供者が駐車場の貸出しを申し出るオファーと該駐車場への駐車場利用車両の駐車を依頼するリクエストとを含む駐車場予約のためのコンピュータプログラムであって、コンピュータを、
前記駐車場利用車両のプローブ情報を保存するプローブ情報保存手段と、
前記駐車場利用車両の前記プローブ情報に基づいて、前記駐車場利用車両の評価を決定する決定手段と、
前記決定された評価に基づいて、前記オファー及び前記リクエストの調整を行う調整手段、
として機能させるコンピュータプログラム。
このように規定される第１３の局面に規定の発明によれば、第１の局面と同等の効果を奏する。
【００１９】
この発明の第１４の局面は次のように規定される。即ち、
第１３の局面に規定のコンピュータプログラムにおいて、前記コンピュータを、更に、
前記プローブ情報保存手段から前記駐車場利用車両の駐車に関するプローブ情報を駐車プローブ情報として抽出する抽出手段、として機能させ、
前記決定手段は、前記抽出された駐車プローブ情報に基づいて、前記評価を決定する。
このように規定される第１４の局面に規定の発明によれば、第２の局面と同等の効果を奏する。
【００２０】
この発明の第１５の局面は次のように規定される。即ち、
第１４の局面に規定のコンピュータプログラムにおいて、前記決定手段は、前記抽出された駐車プローブ情報のうち、第１の条件及び第２の条件を満たす駐車プローブ情報が存在するとき、前記評価を決定し、
前記第１の条件は、一定領域に一定期間連続して駐車したことであり、
前記第２の条件は、前記第１の条件を満たす駐車プローブ情報が一定頻度で発生したことである。
このように規定される第１５の局面に規定の発明によれば、第３の局面と同等の効果を奏する。
【００２１】
この発明の第１６の局面は次のように規定される。即ち、
第１５の局面に規定のコンピュータプログラムにおいて、前記一定頻度は、週単位における頻度であり、
前記決定手段は、前記第１の条件及び前記第２の条件を満たす駐車プローブ情報が２パターン存在するとき、前記評価を決定する。
このように規定される第１６の局面に規定の発明によれば、第４の局面と同等の効果を奏する。
【００２２】
この発明の第１７の局面は次のように規定される。即ち、
第１３の局面に規定のコンピュータプログラムにおいて、前記コンピュータを、更に、
前記プローブ情報保存手段から前記プローブ情報として前記駐車場利用車両の目的地に関する情報を抽出する抽出手段、として機能させ、
前記決定手段は、前記抽出された目的地が予め定められた目的地属性に属するとき、前記評価を決定する。
このように規定される第１７の局面に規定の発明によれば、第５の局面と同等の効果を奏する。
【００２３】
この発明の第１８の局面は次のように規定される。即ち、
第１３〜第１７のいずれかの局面に規定のコンピュータプログラムにおいて、前記決定手段で決定された評価を、前記駐車場予約システムを新規に利用する駐車場利用車両の初期評価とする。
このように規定される第１８の局面に規定の発明によれば、第６の局面と同等の効果を奏する。
【００２４】
第１３〜第１８のいずれかの局面に規定されるコンピュータプログラムが記録されたコンピュータで読み取り可能な記録媒体が第１９の局面として規定される。
【図面の簡単な説明】
【００２５】
【図１】図１は、本発明の実施の形態の駐車場予約システム１の構成を示すブロック図である。
【図２】図２は、本発明の実施の形態の駐車場予約システム１の動作の一例を示すフローチャートである。
【図３】図３は、本発明の他の実施の形態の駐車場予約システム２１の構成を示すブロック図である。
【図４】図４は、本発明の他の実施の形態の駐車場予約システム２１の動作の一例を示すフローチャートである。
【図５】図５は、本発明の実施例の駐車場予約システム５１の構成を示すブロック図である。
【発明を実施するための形態】
【００２６】
この発明の実施の形態の駐車場予約システムを説明する。
図１に、駐車場予約システム１の概略構成を示す。
図１に示すように、この駐車場予約システム１は、第１の提供者端末（Ｐ１）１０１、第１の利用車両端末（Ｃ１）１０２及び駐車場予約サーバ装置１０３を備えており、提供者端末１０１と駐車場予約サーバ装置１０３とはネットワークＮ１を介して、利用車両端末１０２と駐車場予約サーバ装置１０３とはネットワークＮ２を介して夫々無線接続されている。提供者端末及び利用車端末は夫々一に限られず、第１の提供者端末１０１の他に第２〜第ｎの提供者端末を、第１の利用車両端末１０２の他に第２〜第ｍの利用車両端末を備えていてもよい。
【００２７】
第１の提供者端末１０１は、駐車場予約サーバ装置１０３に対して、駐車場提供者が駐車場の貸し出しを申し出ることが可能な端末であればよく、このような端末として、例えば、スマートフォン、スマートテレビ、スマートブック、タブレット端末、携帯電話機、ノート型ＰＣ、ＰＤＡ（Ｐｏｒｔａｂｌｅ Ｄｉｇｉｔａｌ Ａｓｓｉｓｔａｎｔｓ）、携帯ゲーム機、ＰＮＤ（Ｐｏｒｔａｂｌｅ Ｎａｖｉｇａｔｉｏｎ Ｄｅｖｉｃｅ）、デスクトップ型ＰＣ等が挙げられる。第１の提供者端末１０１は、例えば、第１の提供者端末１０１を有する第１の提供者が貸し出しを希望する駐車場の位置、貸出可能日時、貸出料金、駐車場サイズ等の情報に加えて、駐車場の貸出対象となる駐車場利用車両に対して要求する評価を駐車場予約サーバ装置１０３に送信する。
【００２８】
第１の利用車両端末１０２は、駐車場予約サーバ装置１０３に対して、駐車場への駐車場利用車両の駐車を依頼することが可能であり、該駐車場利用車両のプローブ情報を提供可能な端末であればよく、このような端末として、例えば、車載ナビゲーション装置等が挙げられる。第１の利用車両端末１０２は、例えば、第１の利用車両端末１０２を備える第１の利用車両の駐車を希望する駐車領域、駐車日時、駐車場料金、車種、プローブ情報等の情報を駐車場予約サーバ装置１０３に送信する。
【００２９】
駐車場予約サーバ装置１０３は、プローブ情報保存部３、リクエスト受付部４、オファー登録部５、決定部７及び調整部９を備える。
プローブ情報保存部３には、第１の利用車両１０２から通信部（図示せず）を介して取得されるプローブ情報が保存される。当該プローブ情報には、少なくとも座標情報、時間情報、目的地設定情報、プローブカーを特定するＩＤ情報が含まれる。ＧＰＳ等の位置検出機能を有する車両であればこれらの情報を特定することができる。
【００３０】
リクエスト受付部４は、上記通信部を介して第１の利用車両１０２からのリクエストを受け付ける。当該リクエストとして、駐車を希望する駐車領域、駐車日時、駐車場料金、車種等の情報が挙げられるが、これらの情報に限定されるものではない。
オファー登録部５は、上記通信部を介して第１の提供者端末１０１からのオファーを登録する。当該オファーとして、貸し出しを希望する駐車場の位置、貸出可能日時、貸出料金、駐車場サイズ等の情報が挙げられるが、これらの情報に限定されるものではない。
決定部７は、リクエスト受付部４でリクエストを受け付けた第１の利用車両１０２のプローブ情報に基づいて、第１の利用車両１０２の評価を決定する。当該評価は、第１の利用車両１０２の行動履歴の定常性や、目的地の属性等によって決定することができる。
【００３１】
前者の評価は、例えば、次の方法で決定することができる。まず、第１の利用車両のプローブ情報のうち一定期間（例えば、１時間以上）連続して停止したプローブ情報の位置を特定し、更に当該特定された位置又は該位置から所定領域内に一定期間連続して停止した別のプローブ情報を特定する（第１の条件）。そして、それらのプローブ情報の発生頻度を特定し、該頻度が所定頻度（例えば、１回／週、１回／月）以上であるとき（第２の条件）、第１の利用車両１０２の評価を決定する。当該評価は、該頻度が所定頻度以上であれば「定常性有」と決定することができ、別の例として、その頻度に応じて三段階等段階的に決定することとしてもよい。該頻度は、例えば、週単位における頻度とすることができ、５回〜／週以上のとき「優」、２〜４回／週のとき「良」、１回／週のとき「可」等の評価を付与することができる。さらには、該頻度が週単位の頻度であって、上記第１の条件及び第２の条件を満たすプローブ情報が少なくとも２パターン存在するとき、更に上位の評価を付与することができる。また、該プローブ情報が毎週特定の曜日に発生している等、所定のパターンを有している場合にも評価の対象とすることができる。このような評価を行う際に、第１の利用車両１０２から取得されたプローブ情報のうち、駐車に関するプローブ情報を好適に用いることができる。また、第１の利用車両１０２が停止を示しているか否かは、例えば、プローブ情報としてのイグニションオフ情報に基づいて判断することができる。
【００３２】
後者の評価、すなわち、第１の利用車両の目的地の属性に基づく評価は、例えば、次の方法で決定することができる。この場合、予め目的地となる施設等に目的地属性及び該目的地属性の優良度合い「優」、「良」、「可」が付与されている。そして、第１の利用車両１０２に備えられたナビゲーション装置で設定されたプローブ情報としての目的地設定情報に基づき、その目的地がいずれかの目的地属性に分類されるとき、上記設定された目的地が該分類された目的地属性の優良度合い、例えば、「優」等を第１の利用車両１０２の評価として決定することができる。
【００３３】
調整部９は、決定部７で決定された評価に基づいて、第１の提供者１０１からのオファー及び第１の利用車両からのリクエストの調整を行う。当該調整の方法は、位置、時間、料金のマッチングの他、駐車場予約が第１の提供者１０１の希望に沿うよう、例えば、決定部７で評価が決定された第１の利用車両１０２へのみ貸し出し可能なよう調整することができる。別の例として、第１の提供者１０１から所定の評価（例えば、「優」のみ、「良」以上、等）を有する第１の利用車両１０２への貸し出しを希望する旨の情報が提供されている場合には、該希望の評価を有する第１の利用車両１０２へのみ貸し出し可能なよう調整することとしてもよい。
【００３４】
図２を用いて、図１に示す駐車場予約システム１の動作の一例を説明する。この例では、第１の利用車両の目的地の目的地属性に基づいて該第１の利用車両の評価を決定し、該評価に基づいて第１の提供者のオファーと第１の利用車両のリクエストとの調整を行う駐車場予約システム１の動作の一例を説明する。また、第１の利用車両端末１０２はプローブ情報として目的地設定情報を駐車場予約サーバ装置１０３に送信し、プローブ情報保存部３には該目的地設定情報が保存されているものとする。
【００３５】
ステップ１０１では、第１の提供者端末１０１内送信部（図示せず）は、駐車場の貸し出しを申し出るべく、貸し出しを希望する駐車場の位置、貸出可能日時、貸出料金等の情報に加えて、駐車場の貸出対象となる駐車場利用車両に対して要求する評価をオファーとして駐車場予約サーバ装置１０３へ送信する。該送信されたオファーは、駐車場予約サーバ装置１０３内受信部（図示せず）にて受信され、オファー登録部５に登録される（ステップ３０１）。
ステップ２０１では、第１の利用車両端末１０２内送信部（図示せず）は、駐車場への駐車場利用車両の駐車を依頼するべく、駐車を希望する駐車領域、駐車日時、駐車場料金等の情報をリクエストとして駐車場予約サーバ装置１０３へ送信する。該送信されたリクエストは、駐車場予約サーバ装置１０３内受信部にて受信され、リクエスト受付部４に登録される（ステップ３０２）。
【００３６】
ステップ２０２では、第１の利用車両端末１０２内送信部は、該車両の車載ナビゲーション装置で設定されたプローブ情報としての目的地設定情報を駐車場予約サーバ装置１０３へ送信する。該送信された目的地設定情報は、駐車場予約サーバ１０３内受信部にて受信され、プローブ情報保存部３に保存される（ステップ３０３）。
ステップ３０４では、決定部７は、ステップ３０３で保存された目的地設定情報に基づき、該目的地の属性を特定する。ステップ３０４は、例えば、予め用意された、目的地としての施設と該施設の施設属性とを関連付けて格納する施設属性データベース（図示しない）を参照して、ステップ３０３の目的地の目的地属性を特定することにより実行される。この例において、施設属性データベース中、施設「ショッピングモールＭＵＮ」と施設属性「ファミリー」が関連付けて格納されている場合、ステップ３０３の目的地「ショッピングモールＭＵＮ」の目的地属性は「ファミリー」と特定される。
【００３７】
ステップ３０５では、決定部７は、ステップ３０４で特定された目的地属性の優良度合いを特定する。ステップ３０５は、例えば、目的地属性に該目的地の優良度合いが更に関連付けられた上記施設属性データベースを参照して、ステップ３０４で特定された目的地属性の優良度合いを特定することにより実行される。この例において、施設属性データベース中、施設属性「ファミリー」と優良度合い「優」が関連付けて格納されている場合、ステップ３０４の目的地属性「ファミリー」の優良度合いは「優」と特定される。すなわち、ステップ３０４及び３０５によって、決定部７は、第１の利用車両で設定された目的地「ショッピングモールＭＵＮ」が、目的地属性「ファミリー」に属することにより、第１の利用車両を「優」と評価する。
【００３８】
ステップ３０７では、調整部９は、ステップ３０６で決定された評価が、ステップ３０１のオファー中の駐車場利用車両に対して要求する評価を満たしているか判定し、満たしている場合（ステップ３０７：Ｙｅｓ）、ステップ３０８へ進む。
ステップ３０８では、調整部９は、ステップ３０１のオファー中の上記評価以外のオファー、すなわち、駐車場の位置、貸出可能日時、貸出料金等が、ステップ３０２のリクエスト、すなわち、駐車を希望する駐車領域、駐車日時、駐車場料金等を満たしているか判定し、満たしている場合（ステップ３０８：Ｙｅｓ）、ステップ３０９へ進む。
【００３９】
ステップ３０９では、駐車場予約サーバ装置１０３内送信部は、ステップ３０１のオファーに対応する駐車場を提案すべく、該駐車場のオファーに関する情報を第１の利用車両端末１０２へ送信する。第１の利用車両端末１０２は、該送信された駐車場の情報を受信し、該情報を表示部（図示せず）へ表示する（ステップ２０３）。
ステップ２０４では、第１の利用車両ユーザがステップ３０９で提案された駐車場への駐車を希望する場合、第１の利用車両端末１０２内入力部（図示せず）を介して、ステップ３０９で送信された駐車場の予約を登録し、該登録情報を駐車場予約サーバ装置１０３へ送信する。駐車場予約サーバ装置１０３は、該送信された登録情報を受信し、ステップ３０９の駐車場の予約を完了する（ステップ３１０）。
【００４０】
ステップ３１１では、駐車場予約サーバ装置１０３内送信部は、ステップ３１０の予約完了に関する情報を第１の提供者端末１０１及び第１の利用車両端末１０２に送信する。第１の提供者端末１０１及び第１の利用車両端末１０２は、ステップ３１０の予約完了に関する情報を受信し、表示する（ステップ１０２、２０５）。なお、ステップ３１１において、駐車場予約サーバ装置１０３が第１の提供者端末１０１へ送信する第１の利用車両の情報としては、例えば、当該氏名、連絡先、自動車登録番号（ナンバープレート）、車種が挙げられ、第１の利用車両のプローブ情報までを送信することを要しない。即ち、第１の利用車両のプローブ情報は、駐車場予約サーバ装置１０３内でのみ利用されることが好ましい。
【００４１】
図３に、他の実施の形態の駐車場予約システム２１を示す。図３において、図１と同一の要素には同一の符号を付して、その説明を部分的に省略する。
図３に示すのは、図１に示す駐車場予約システム１において、駐車場予約サーバ装置１０３に代えて駐車場予約サーバ装置２０３を備える駐車場予約システム２１である。
駐車場予約サーバ装置２０３は、駐車場予約サーバ装置１０３において、抽出部２３を更に備え、決定部７に代えて決定部２５を備える。
【００４２】
抽出部２３は、プローブ情報保存部３から第１の利用車両の駐車に関するプローブ情報を駐車プローブ情報として抽出する。当該抽出の方法としては、例えば、第１の利用車両のイグニションオフ情報に基づいて、該第１の利用車両のプローブ情報からイグニションオフの状態であったプローブ情報を抽出する方法が挙げられる。また、別の例として、イグニションオフの状態が一定期間連続したプローブ情報、該イグニションオフの状態であった位置が第１の利用車両１０２ユーザの自宅や勤務先、施設又はそれらの駐車場、目的地又は経由地として設定した場所であるプローブ情報等を駐車プローブ情報として抽出することとしてもよい。当該抽出の方法は、第１の利用車両１０２のプローブ情報から駐車プローブ情報を抽出することができれば、これらの方法に限定されない。
この駐車場予約サーバ装置２０３において、決定部２５は、抽出部２３で抽出された駐車プローブ情報に基づいて、第１の利用車両１０２の評価を決定する。決定部２５は、決定部７と同様に機能するが、特に、第１の利用車両１０２の行動履歴の定常性を好適に評価しうる。
【００４３】
図４を用いて、図３に示す駐車場予約システム２１の動作の一例を説明する。この例では、第１の利用車両の行動履歴の定常性に基づいて該第１の利用車両の評価を決定し、該評価に基づいて第１の提供者のオファーと第１の利用車両のリクエストとの調整を行う駐車場予約システム１の動作の一例を説明する。
【００４４】
ステップ１２１では、第１の提供者端末１０１内送信部（図示せず）は、貸し出しを希望する駐車場の位置、貸出可能日時、貸出料金等の情報に加えて、駐車場の貸出対象となる駐車場利用車両に対して要求する評価をオファーとして駐車場予約サーバ装置２０３へ送信する。該送信されたオファーは、駐車場予約サーバ装置２０３内受信部（図示せず）にて受信され、オファー登録部５に登録される（ステップ３２１）。
ステップ２２１では、第１の利用車両端末１０２内送信部（図示せず）は、駐車を希望する駐車領域、駐車日時、駐車場料金等の情報をリクエストとして駐車場予約サーバ装置２０３へ送信する。該送信されたリクエストは、駐車場予約サーバ装置２０３内受信部にて受信され、リクエスト受付部４に登録される（ステップ３２２）。
【００４５】
ステップ２２２では、第１の利用車両端末１０２内送信部は、該車両のプローブ情報を駐車場予約サーバ装置２０３へ送信する。該送信されたプローブ情報は、駐車場予約サーバ２０３内受信部にて受信され、プローブ情報保存部３に保存される（ステップ３２３）。
ステップ３２４では、抽出部２３は、ステップ３２３で保存されたプローブ情報から、イグニションオフの状態であったプローブ情報を駐車プローブ情報として抽出する。
ステップ３２５では、決定部２５は、ステップ３２４で抽出された駐車プローブ情報のうち、第１の条件を満たす駐車プローブ情報、すなわち、一定領域に一定期間（例えば、１時間以上）連続してイグニションオフであった複数の駐車プローブ情報を特定する。
【００４６】
ステップ３２６では、決定部２５は、ステップ３２５で特定された複数の駐車プローブ情報が第２の条件を満たすか否か、すなわち、ステップ３２５で特定された複数の駐車プローブ情報が一定頻度で発生しているか否か判定し、第２の条件を満たすとき（ステップ３２６：Ｙｅｓ）、ステップ３２７へ進む。
ステップ３２７では、決定部２５は、第１の利用車両の評価を「定常性有」と決定する。
【００４７】
ステップ３２８では、調整部９は、ステップ３２７で決定された評価が、ステップ３２１のオファー中の駐車場利用車両に対して要求する評価を満たしているか判定し、満たしている場合（ステップ３２８：Ｙｅｓ）、ステップ３２９へ進む。
ステップ３２９では、調整部９は、ステップ３２１のオファー中の上記評価以外のオファー、すなわち、駐車場の位置、貸出可能日時、貸出料金等が、ステップ３２２のリクエスト、すなわち、駐車を希望する駐車領域、駐車日時、駐車場料金等を満たしているか判定し、満たしている場合（ステップ３２９：Ｙｅｓ）、ステップ３３０へ進む。
【００４８】
ステップ３３０では、駐車場予約サーバ装置２０３内送信部は、ステップ３２１のオファーに対応する駐車場を提案すべく、該駐車場のオファーに関する情報を第１の利用車両端末１０２へ送信する。第１の利用車両端末１０２は、該送信された駐車場の情報を受信し、該情報を表示部（図示せず）へ表示する（ステップ２２３）。
ステップ２２４では、第１の利用車両ユーザがステップ３３０で提案された駐車場への駐車を希望する場合、第１の利用車両端末１０２内入力部（図示せず）を介して、ステップ３３０で送信された駐車場の予約を登録し、該登録情報を駐車場予約サーバ装置２０３へ送信する。駐車場予約サーバ装置２０３は、該送信された登録情報を受信し、ステップ３３０の駐車場の予約を完了する（ステップ３３１）。
【００４９】
ステップ３３２では、駐車場予約サーバ装置２０３内送信部は、ステップ３３１の予約完了に関する情報を第１の提供者端末１０１及び第１の利用車両端末１０２に送信する。第１の提供者端末１０１及び第１の利用車両端末１０２は、ステップ３３１の予約完了に関する情報を受信し、表示する（ステップ１２２、２２５）。
【００５０】
図５に、実施例の駐車場予約システム５１を示す。図５において、図１及び図３と同一の要素には同一の符号を付して、その説明を部分的に省略する。
駐車場予約システム５１は、第１〜第ｎの提供者（Ｐ１〜Ｐｎ）、第１〜第ｍの利用車両（Ｃ１〜Ｃｍ）及び駐車場予約サーバ装置５０３を備えている。
駐車場予約サーバ装置５０３は、図３に示す駐車場予約サーバ装置２０３が備える各構成、すなわち、プローブ情報保存部３、リクエスト受付部４、オファー登録部５、抽出部２３、決定部２５及び調整部９に加えて、制御部５３１、メモリ部５３２、入力部５３３、インターフェース部５３４、通信部５３５、利用車両データベース５３７及び提供者データベース５３８を備えている。
【００５１】
制御部５３１はＣＰＵ、バッファメモリその他の装置を備えたコンピュータ装置であり、駐車場予約サーバ装置５０３を構成する他の要素を制御する。
メモリ部５３２にはコンピュータプログラムが保存され、このコンピュータプログラムはコンピュータ装置である制御部５３１に読み込まれて、これを機能させる。このコンピュータプログラムは、駐車場予約サーバ装置の記憶装置としての内蔵ハードディスク又は内蔵メモリ、駐車場予約サーバ装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
【００５２】
入力部５３３は、例えば、駐車場予約サーバ装置５０３の管理者の入力に用いられる。入力部５３３として、マウス、ライトペン又はディスプレイの表示内容と協働するタッチパネル等のポインティングデバイスやキーボード又はマイクロホン等の音声入力装置を用いることができる。
【００５３】
インターフェース部５３４は駐車場予約サーバ装置５０３を無線ネットワーク等へ連結させる。
通信部５３５は、第１〜第ｎの提供者端末及び第１〜第ｍの利用車両端末との上記情報の送受信を可能とする。
【００５４】
利用車両データベース５３７には、利用車両の各種情報が利用車両ＩＤと関連付けて格納される。格納される情報として、例えば、利用車両ユーザの氏名、連絡先、クレジットカード番号、自動車登録番号、車種、過去の駐車場予約実績、過去の駐車場利用に関する提供者の評価等が挙げられる。
提供者データベース５３８には、提供者の各種情報が提供者ＩＤと関連付けて格納される。格納される情報として、例えば、提供者の氏名、住所、連絡先、貸出駐車場の位置及びサイズ等が挙げられる。
本発明の駐車場予約システムによれば、上記利用車両データベース内に利用車両の評価に関する情報を有しない、新規利用車両に対しても評価の初期値を付与することができる。
【００５５】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００５６】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００５７】
１  ２１  駐車場予約システム
３  プローブ情報保存部
４  リクエスト受付部
５  オファー登録部
７  ２５  決定部
９  調整部
２３  抽出部
１０１  第１の提供者端末
１０２  第１の利用車両端末
１０３  ２０３  駐車場予約サーバ装置
【図１】
2018092209.tif 000003
【図２】
2018092209.tif 000004
【図３】
2018092209.tif 000005
【図４】
2018092209.tif 000006
【図５】
2018092209.tif 000007